(57)【要約】【課題】新興の商業目的にも利用できる、商業用の緊急状態事前管理・緊急時対応情報システムを構築することを目的として、現在の事象に関して複数の情報源からデータを収集し、そのデータを解析・統合し、統合された付加価値データをサードパーティに届けるとともに、統合された付加価値データを内部利用する為に蓄積する配置を提供する。【解決手段】個人又は特定箇所に関連づけられたデータ捕獲装置が、現在の事象又は事故のあった場所に関するデータを捕獲する。受信したデータは、生データか、関連づけ再統合されたデータか、あるいは情報源入力からの付加価値データを含みうる。捕獲したデータは他のパーティが使用できるよう解析、分析、相関及び再統合を行う、中央指令センターまたは分散指令センターへ送信される。【特許請求の範囲】
【請求項１】
データの捕獲および利用方法であり、
最低一つ以上のデータ捕獲装置を最低一人の個人に提供するか、最低一つ以上のデータ捕獲装置を最低一つの構造物あるいは可搬性のあるプラットフォームに具備し、
現在の事象の付近、あるいは事象に潜在的に影響されうる現場の近くに設置された最低一つ以上のデータ捕獲装置から受信される情報源データを解析するとともに、上記データ捕獲装置から受信されるデータを捕獲し、ここで受信されたデータは、情報源から入力された生データ、関連づけ再統合された（repackaged）データ、あるいは付加価値データのいずれかの少なくとも一つ以上を含んでおり、
この捕獲したデータを、どのデータを次の処理へ進めるべきか解析する処理を行う少なくとも一つの集中化サーバ処理または分散サーバー処理を備える少なくとも一つの集中化指令センターまたは分散化された指令センターへ送信し、
事象データに専用のサーバーに上記処理したデータを保存し、
捕獲したデータを、進行中の事象を表す事象データと共に関連づけ再統合し、
事象の複合データとして、上記捕獲したデータを含む全データを関連づけ再統合し、
全データおよび現在の事象の自動解析を行い、生データと上記関連づけ再統合されたデータを最低一人以上のサードパーティへ提供する
ことを含む方法。
【請求項２】
最低一つ以上ある上記データ捕獲装置は、それぞれが最低一つ以上の有線のデータ収集・配信装置または可搬性のある無線のデータ収集・配信装置を備える、請求項１の方法。
【請求項３】
上記捕獲したデータの情報源は、解析され、別のデ―タ捕獲装置か、内蔵されたサーバーのような演算プラットフォームか、あるいはサードパーティに向けて直接送られる、請求項１の方法。
【請求項４】
上記捕獲したデータの情報源は、解析され、最低一つ以上の上記集中化サーバ処理または上記分散サーバー処理を備えた、最低一つ以上の上記集中化指令センターまたは上記分散指令センターの両方へそれぞれ直接送信される、請求項１の方法。
【請求項５】
上記最低一つ以上の集中化指令センターまたは上記分散指令センターは、単一の論理サーバー・ファーム（logical server farm）あるいは、特殊な目的をもつサーバーとして機能し、包括的なデータベースを保存する単一論理装置として、複数のサーバーで使用される一種類のデータを処理する、請求項３の方法。
【請求項６】
上記捕獲したデータは、他の複数のデータ配信センターへ送られるとともに、データ・リレーは、指令および制御機能の特徴をほとんど持たないか、全く持たない上記データ配信センター間で行われる、請求項１の方法。
【請求項７】
上記関連づけ再統合されたデータはリアルタイムで提供される、請求項１の方法。
【請求項８】
上記関連づけ再統合されたデータは、後に消費者へ提供される、請求項１の方法。
【請求項９】
上記関連づけ再統合されたデータは内部利用のため蓄積保存される、請求項１の方法。
【請求項１０】
最低一つ以上のデータ捕獲装置で捕獲されたデータは、最低一つ以上の上記集中化サーバ処理または上記分散サーバー処理を備えた、最低一つ以上の上記集中化指令センターまたは上記分散指令センターへ同時的に送信され、また指令と制御機能の特徴をほとんど持たないか、全く持たない情報ストレージおよび配信センターへ送信される、請求項１の方法。
【請求項１１】
最低一つ以上の上記集中化サーバ処理または上記分散サーバー処理を備えた、最低一つ以上の上記集中化指令センターまたは上記分散指令センターは、複数の場所にある複数のサーバーと作用する分散化されたデータベースを備え、この分散化されたデータベースは複数のミラーバージョンを備える、請求項１の方法。
【請求項１２】
サーバーが損失や故障した場合にデータの損失を防ぐため、上記保存されたデータは定期的に異なる場所に設置された複数のデータ・サーバーに複製され、これらの複数のデ−タ・サーバーはクラスタ（集合）されたバックアップ・サーバーの機能を果たす、請求項１の方法。
【請求項１３】
現在の事象に関係ある上記捕獲したデータは、最低一つ以上の上記データ捕獲装置から、有線、無線、またはPOTS（ポッツ）の各種商業用、地方自治体、又は私設のコミュニケーション・ネットワークを介して、最低一つ以上の上記集中化または分散化された指令センターへ送られる、請求項１の方法。
【請求項１４】
最低一つの上記個人とは、最低一つ以上のデータの捕獲装置を用い、現在の事象またはその周辺に関するデータを捕獲するために、現在の事象またはその周辺の近くにいる人か、人と共に働くように訓練を受けた動物である、請求項１の方法。
【請求項１５】
最低一つ以上の個体は、一台の車輌、または地方自治体のフリート（fleet、車輌群）、業務用フリート、軍用フリート、又は市民が所有する車輌によるフリートを操作しうる、請求項１４の方法。
【請求項１６】
上記現在の事象は、人工的なあるいは自然発生的な事故や災害、集団または個人における医療的緊急時、災害予防を取り巻く活動、商業的イベント、マルチメディアのイベント、公共のイベント、公共サービスの通告、社交的イベント、政府の通知又は会報、軍事行動、または人が興味をもつあらゆるイベントのうち、最低一つ以上でありうる、請求項１の方法。
【請求項１７】
上記最低一つ以上のデータ捕獲装置とは、無人であり、独立して、またはスケジュールに従って有用される、請求項１の方法。
【請求項１８】
上記捕獲したデータとは、最低一つ以上の上記データ捕獲装置からのデジタル入力である、請求項１の方法。
【請求項１９】
上記一以上のサードパーティとは、たとえば一般市民、地方自治体の職員、商業または企業の従業員、マスコミ関係者、一般市民のボランティア、軍の隊員、現在の事象の状況を計測する権威を持つ個人、ニュース捕獲局、地方自治体または軍隊の緊急時対応組織、水道・電力ガス会社等のユティリティ会社、インターネットのポータル、ウエブアクセス可能なアクセスポイント、映画会社、ドキュメンタリー映像制作会社、保険会社、事象のデータにアクセスを希望するグループや組織等の、一人以上の公の一員である、請求項１の方法。
【請求項２０】
上記関連づけ再統合されたデータを提供することの中に、更にこの関連づけ再統合されたデータを最低一人以上のサードパーティへ販売することも含む、請求項１の方法。
【請求項２１】
上記生データを提供することの中に、更に生データを最低一人以上のサードパーティへ販売することも含む、請求項１の方法。
【請求項２２】
生データと関連づけ再統合されたデータは、内部利用と、後に最低一人以上のサードパーティへ再販売するために、保存用データベースに保存される、請求項１の方法。
【請求項２３】
上記関連づけ再統合されたデータは、付加価値データである、請求項１の方法。
【請求項２４】
上記付加価値データは、捕獲したデータと、事象の全容を表す合成データとを含んでおり、また上記付加価値データは、リアルタイムで、遅延、編成された番組にて、オンデマンドで、イベントによる起動等のタイミングで最低一人以上のサードパーティに提供され、内部利用のために蓄積保存され、後に最低一人以上のサードパーティに再販するために利用される、請求項２３の方法。
【請求項２５】
データを捕獲し利用する方法であって、緊急事態に関するデータを測定し、現在の状況データを捕獲するために最低１つ以上のセンサーを提供し、
現在の事象や状況のデータを近隣で捕獲するために最低一つ以上のセンサーを用い、そこで受信するデータは、入力源からの生データ、関連づけ再統合されたデータ、または付加価値データのうち最低一つ以上を含み、
上記捕獲したデータは、集中化サーバ処理または分散サーバー処理を備えた最低一つ以上の集中化指令センターまたは分散指令センターへ送信し、
上記処理したデータを、事象データに専用のサーバーに保存し、
上記捕獲したデータを、進行中の事象を表示する事象データと共に関連づけて再統合（repackaging）し、
上記捕獲したデータを含む上記関連づけ再統合されたデータを、複合的な事象データとして提供し、
上記データと上記現在の事象の自動解析を展開し、上記生データと上記関連づけ再統合されたデータを最低一人以上のサードパーティに提供することを備える方法。
【請求項２６】
最低一つ以上のセンサーが、任意の事象に関する測定を行うために、事前に決められた地域に運用される、請求項２５の方法。
【請求項２７】
上記捕獲したデータは、定期的に、最低一つ以上の上記集中化指令センターまたは上記分散指令センターへ送られ、最低一つ以上の事前に決められた地域における現在の状況を表す、請求項２５の方法。
【請求項２８】
データを解析する方法であって、
最低一つ以上の集中化データベースサーバまたは分散データベースサーバーを通して一連の情報ネットワーク処理装置を動的にネットワークする情報処理ネットワークを持つ最低一つ以上の情報ネットワークと、最低一つ以上の上記集中化データベースサーバまたは上記分散データベースサーバーを通して一連の情報レゾリューション装置を動的にネットワークする一つの情報レゾリューションネットワークを提供し、
受信データを自動解析し、この受信データには、入力源から得られた生データ、関連づけ再統合されたデータ、付加価値データのうち最低一つ以上が含まれ、
事象の情報のタグ（tag）を発行するために、受信データエンティティ情報テーブルを生成し、
加入者要求の情報のタグを発行するために、加入者要求エンティティ情報テーブルを生成し、
一つ以上の上記生データか、上記関連づけ再統合されたデータか、外部システムからのデータか、プログラムされたデータのいずれかと、特定の加入者エンティティが持っているある事象に関する情報のリクエストとマッチングをさせるシステム論理で上記受信データエンティティ情報テーブルと加入者プロフィール・データエンティティ情報テーブルとを解析し、
事象の発生中に加入者エンティティによってリクエストされるその事象の複合的画像か、その事象の周辺地域の状況か、その事象に関連のある付随的なデータか、または最低一つ以上の上記生データか、上記関連づけ再統合されたデータか、上記外部システムからのデータか、上記編成されたそのデータ等あらゆるデータのいずれかを提供することで、このデータの解析結果を最低一つ以上の集中化データベースサーバあるいは分散化されたデータベースサーバーに報告し、
上記リクエストされたあらゆるデータを、そのデータをリクエストしている上記加入者エンティティと、最低一人以上のサードパーティに提供すること
を備える方法。
【請求項２９】
データは、入力源、外部システムのデータ、公的にアクセスできるネットワーク、公立や私立の資料および研究調査機関ネットワーク、商業用および組織のウエブサイト、その他のあらゆるデータ情報源の最低一つ以上のデータから生成される、データは、事象情報のタグを発行するために受信データエンティティテーブルに保存される請求項２８の方法。
【請求項３０】
ある事象に関する情報の要求は、最低一人以上のサードパーティか、情報処理装置か、生データまた関連づけ再統合されたデータに対するあらゆるリクエストからくるものであり、上記各要求は、タグがつけられ、加入者要求エンティティテーブルに保存される、請求項２８の方法。
【請求項３１】
各情報処理装置が各データ要素を解析する方法には、数学式、数値計算、論理的操作、ファジー論理や人工的推論、人工知能を含む人工的方法、演繹法、帰納法、履歴的解析、トレンド解析、パターン認識、その他のあらゆる解析方法が用いられる、請求項２８の方法。
【請求項３２】
各情報処理装置は、演算・解析を行うメカニズムであり、明らかにされつつある事象の結合性のある複合的な像を描写するために、上記生データ、上記受信データ、および上記アーカイブ・データ等を巧みに操作し、および／または、関連する解答を演算し、後の研究および解析のために、事象のタイムスライスを蓄積目的で保存する、請求項３１の方法。
【請求項３３】
各情報処理装置は、全てのデータ要素を比較してより有益なコンテキストにするため、アーカイブおよび外部情報システムを含む外部データサーバーからのデータの引き出しや、GIS/GPS、地理学的、政府関連、経済学的、地質学的、気象学的なデータや、企業のウエブサイトや、公立や私立の資料および研究機関ネットワークや、商業用または各組織のウエブサイトや、情報のエンティティ探索テーブルに既存するか、あるいは潜在的なデータ入力を含む関連のあるデータのあらゆる情報源を含むもののうち、上記各データ要素を翻訳するために何が必要であるかを演算する、請求項２８の方法。
【請求項３４】
更に、最低一つ以上の上記データ捕獲装置または上記センサーは、上記最低一つ以上の情報ネットワークに仮想パイプを通して接続されているか、上記集中化指令センターまたは分散化された指令センターの少なくとも一つに、上記通信チェーンの各段階における上記通信物理的な配置にかかわらず、インターネットのような一般アクセスが可能なネットワーク、または有線やポッツ、あるいは無線による商業用、地方自治体、私営の通信ネットワークを介して接続されている、請求項２８の方法。
【請求項３５】
情報への要求を表した加入者のエンティティは、上記最低一つ以上の情報ネットワークに仮想パイプを通して接続されているか、上記集中化指令センターまたは分散化された指令センターの少なくとも一つに、上記通信チェーンの各段階における上記通信物理的な配置にかかわらず、インターネットのような一般アクセスが可能なネットワーク、または有線やポッツ、あるいは無線による商業用、地方自治体、私営の通信ネットワークを介して接続されている、請求項２８の方法。
【請求項３６】
上記情報レゾリューションネットワークは、データ入力と、そのデータに対する既知の全ての要求との各マッチング（encounter）をリアルタイムで解決する推論テクノロジーを提供する、請求項２８の方法。
【請求項３７】
上記情報レゾリューションネットワークは、データに対するリクエストと、そのリクエストを全てあるいは部分的に満足させうる既知の入力全てとの各マッチングをリアルタイムで解決する推論テクノロジーを提供する、請求項２８の方法。
【請求項３８】
全ての受信データは解析され、情報を一意に定める情報タグがリアルタイムでつくられ、上記タグは、データ要素と、そのデータ要素の日時スタンプと、そのデータを提供したエンティティに関する情報とを一意に定義している既存データタグの受信データエンティティテーブルに保存される、請求項２８の方法。
【請求項３９】
情報に対する全ての受信されたリクエストは解析され、情報を一意に定める情報タグがリアルタイムでつくられ、上記タグは、そのリクエストの日時とそのリクエストをしたエンティティに関する情報とを備えてリクエストを独自のデータ要素として保存すべく、上記リクエストを独自に定義するための加入者要求エンティティテーブルに保存される、請求項２８の方法。
【請求項４０】
上記情報レゾリューションネットワークは、データ要素、要素に対するリクエスト、あるいは関連づけ再統合された結果データとの各マッチング（encounter、遭遇）を解決する複数の並列レゾリューション処理装置を備える、請求項２８の方法。
【請求項４１】
いくつかのクラスタされた並列レゾリューション処理装置は、バースタブル（burstable、押し開くことが可能）な帯域を提供するために負荷に応じてスケールを拡大したり縮小することができ、故障やネットワーク負荷が増加した場合に、リアルタイムでホットスワップ（活性挿抜）できる、請求項４０の方法。
【請求項４２】
上記情報レゾリューションネットワークは、このネットワーク上で、上記生データ、上記関連づけ再統合されたデータ、および加入者のリクエストの間で最善のマッチングを見つけるべく、上記情報レゾリューションネットワークにわたって動作する、併置された論理的な推論装置か、集中化論理的推論装置か、または分散された単一の論理的推論装置かの少なくとも一つである、複数の推論装置を備える、請求項２８の方法。
【請求項４３】
上記関連づけ再統合されたデータは、事象が発生したときか、リクエストがされたときか、事前にプログラムされた間隔かスケジュールの際か、あるいは受信データ全体の融合および査定によって動的に生成される、請求項２８の方法。
【請求項４４】
最低一つ以上の情報ネットワークは、加入者全員と最低一人以上のサードパーティにとって重要だと思われる、関連づけ再統合された情報を提供するためにプッシュ・テクノロジー（push technology）を用いる、請求項２８の方法。
【請求項４５】
プッシュされるデータは、商業的な通知か公共事業の通告の少なくとも一つである、請求項４４の方法。
【請求項４６】
最低一つ以上の情報ネットワークは、上記関連づけ再統合されたデータをオンデマンドで加入者および最低一人以上のサードパーティに提供する、請求項２８の方法。
【請求項４７】
最低一つ以上の情報ネットワークは、事前にプログラムされたタイミングプロフィール、およびイベント駆動のプロフィールか、加入者から捕獲したリクエストか、またはアクティブなKIPUリクエストの少なくとも一つにしたがって、フィールド上のセンサーからの集中化された自動観察または分散化された自動観察のデータを獲得し利用するものであり、また、上記情報処理装置からの動的な加入者のリクエストまたは自動的なリクエストの少なくとも一つは、センサーのサンプリングスケジュールまたはイベント駆動プロフィールの少なくとも一つをアップデートすることができる、請求項２８の方法。
【請求項４８】
最低一つ以上の情報ネットワークは、事前に定義された間隔か、スケジュールか、カウント値か、期間か、加入者からのリクエストか、あるいはアクティブなKIPUリクエストのうち少なくとも一つに従って、最低一つ以上のセンサーからデータを受信する、請求項２８の方法。
【請求項４９】
最低一つ以上の情報ネットワークは、事前に定義されている事象の開始によるか、一連の事象か、一つ以上のデータ情報源によって、データを受信する、請求項２８の方法。
【請求項５０】
最低一つ以上の情報ネットワークは、サンプルされた周期的なイベント駆動のデータを、最低一つ以上の集中化された指令・制御センターあるいは分散された指令・制御センターへ自動的に配信し、上記サンプルされた周期的なイベント駆動のデータは、複数のデータベースサーバーに保存される、請求項２８の方法。
【請求項５１】
データを捕獲および利用するシステムであって、
現在の事象に関するデータを捕獲するように配置された最低一つ以上のデータ捕獲メカニズムと、
上記データ捕獲メカニズムと連結されたデータ送信メカニズムであって、上記捕獲したデータが事象データ専用の複数のサーバーに保存される、集中化指令センターまたは分散指令センターの少なくとも一つへ上記捕獲したデータを送信するように配置されたデータ送信メカニズムと、
上記サーバーと連結された演算・解析メカニズムであって、上記捕獲したデータを、事象が進行中であることを表す事象データと共に関連づけて再統合しする演算・解析メカニズムとを備え、
前述の演算・解析メカニズムは、少なくとも一つの集中化指令センターまたは分散指令センターか、少なくとも一つのデータ捕獲メカニズム、あるいは上記演算・解析メカニズムの動作を制御する制御装置かを備えるシステム。
【請求項５２】
上記演算・解析メカニズムは、リアルタイムで作動する、請求項５１のシステム。
【請求項５３】
上記演算・解析メカニズムは、後に関連づけ再統合されたデータを他の消費者へ提供する、請求項５１のシステム。
【請求項５４】
上記最低一つ以上のデータ捕獲メカニズムから捕獲したデータは、この最低一つ以上の集中化指令センターまたは分散指令センターへ同時に送信される、請求項５１のシステム。
【請求項５５】
上記最低一つ以上の集中化指令センターまたは分散指令センターは、複数のサーバーと動作する分散化されたデータベースを備える、請求項５１のシステム。
【請求項５６】
個々のサーバーが破損したり故障した場合に、データが失われるのを防ぐため、保存されたデータは、異なる場所に設置された複数のデータサーバーへ定期的に複製され、その複数のデータサーバーはバックアップサーバーとして効果的に作動する、請求項５１のシステム。
【請求項５７】
上記最低一つ以上のデータ捕獲メカニズムは、可搬性のある装置、携帯型の装置、テレビやセットトップボックスのような家庭電化製品、またはさまざまな情報端末を含みうる、請求項５１のシステム。
【請求項５８】
上記最低一つ以上のデータ捕獲メカニズムは、音声、動画、GIS/GPS、デジタル画像、テキスト、またはあらゆる電波や計器の測定値を捕獲する、請求項５１のシステム。
【請求項５９】
上記最低一つ以上のデータ捕獲メカニズムは、無人か、独立して動作するか、あるいはスケジュールに従って動作する、請求項５１のシステム。
【請求項６０】
上記捕獲したデータは、上記最低一つ以上のデータ捕獲メカニズムからのデジタル入力である、請求項５１のシステム。
【請求項６１】
データを捕獲および利用するシステムであって、
緊急事態に関連しうるデータを測定し、現在の状態や事象のデータを捕獲するために設置された最低一つ以上のセンサーと、
この最低一つ以上のセンサーと連結されたデータ送信メカニズムであって、上記捕獲したデータを最低一つ以上の集中化指令センターあるいは分散指令センターに送信するよう配置されたデータ送信メカニズムと、
上記最低一つ以上の集中化指令センターあるいは分散指令センターと連結された演算・解析メカニズムであって、上記捕獲したデータを、進行中の事象を表す事象データと共に関連づけて再統合（repackage）する、演算・解析メカニズムと、を備え
前述の演算・解析メカニズムは、最低一つ以上の集中化指令センターあるいは分散指令センターか、最低一つ以上のセンサーか、あるいは演算・解析メカニズムの動作を制御する制御装置を備えるシステム。
【請求項６２】
上記最低一つ以上のセンサーは、あらゆる事象に関連する測定を行うために事前に決められた地域で運用される、請求項６１のシステム。
【請求項６３】
上記最低一つ以上のセンサーは、人の転倒の情報、生命徴候、垂直または平行の方向性、GPSの所在地情報を含む個人の状態を表示するものであり、人が着用するか、あるいは装備する、請求項６１のシステム。
【請求項６４】
上記捕獲したデータは、事前に決められた地域のうち最低一カ所以上に関する現在の状況を表示して、最低一つ以上の集中化指令センターあるいは分散指令センターへ定期的に送信される、請求項６１のシステム。
【請求項６５】
上記最低一つ以上のセンサーは、人の転倒情報、生命徴候、垂直または平行の方向性、GPSの所在地情報を含む個人の状態を表示するものであり、人が着用するか装備する最低一つ以上の測定装置である、請求項６１の方法。
【請求項６６】
最低一つ以上の可搬性のあるプラットフォーム上に最低一つ以上のデータ捕獲装置を据え付けることによって、データ捕獲装置、センサー、あるいは一連のセンサーを事象の現場へ運搬する方法であって、
上記最低一つのデータ捕獲装置、上記センサーあるいは上記一連のセンサーから、現在の事象に関連するデータを捕獲し、
最低一つ以上の集中化サーバ処理あるいは分散化されたサーバー処理を備えた最低一つ以上の集中化指令センターあるいは分散指令センターへ上記捕獲したデータを送信し、上記捕獲したデータは、その事象の現場で最低一つ以上の可搬性のあるプラットフォームに保存され、隣接のサーバーまたはその事象専用のサーバーへ通信され、
上記捕獲したデータを、進行中の事象を表示する事象データと共に関連づけて再統合（repackage）し、
上記捕獲したデータと上記事象データを含む関連づけ再統合されたデータを、最低一人以上のサードパーティに提供する
ことを備える方法。
【請求項６７】
上記最低一つ以上の可搬性のあるプラットフォームは、低地軌道にある人工衛星、放物線軌道の人工衛星、決められた軌道以外の人工衛星の動きを維持する基地、あるいは静止軌道の人工衛星である、請求項６６の方法。
【請求項６８】
上記最低一つ以上の可搬性のあるプラットフォームは、ウエアラブルなコンピュータを装備した人また動物であり、上記可搬性のあるプラットフォームは、空中で、徒歩で、車輪上で、水中でまたは地中で動作することができ、上記ウエアラブルなコンピュータは、ハーネスのような装置にストラップされるものか、ハンドヘルドか又は保護用または支持用の衣類に取り付けられた無線装置または個人用携帯情報端末であるか、あるいは人や動物が装備する別々の装置間の交信をコーディネート（連係）する個人エリア・ネットワーク（Personal Area Network）における装置の集合の少なくとも一つである、請求項６６の方法。
【請求項６９】
上記最低一つ以上の可搬性のあるプラットフォームは、操縦または運転される水上走行、空中走行、グランドエフェクト、または地上走行する乗り物である、請求項６６の方法。
【請求項７０】
上記最低一つ以上の可搬性のあるプラットフォームは、無人車輌、ロボット、ロボットによる装置や計器であり、上記無人車輌は、遠隔操作または無線制御で駆動されるか、前もって指示されたルートを運行するよう事前にプログラムされるか、GPS/GISや他の地理的、レーダー式または無線式のナビゲーション・システムを介して、基地局がそれらの動きを維持できるよう事前にプログラムされるか、または、人や人工知能のパイロットによって遠隔地から操作されるものであり、上記無人車輌は、水上走行、空中走行、グランドエフェクト、または地上走行する、ロボット、ロボット装置あるいは計器である乗物である、請求項６６の方法。
【請求項７１】
上記最低一つ以上の可搬性のあるプラットフォームは、人工衛星、ウエアラブルな装置を装備した人または動物、また共に作動する少なくとも一つの有人あるいは無人の車輌を含むフリート（群）として作動するプラットフォームのコンビネーションから構成され、上記プラットフォームのコンビネーションは、制御センターからの指令・制御指示あるいは事前にプログラムされた指示によって制御される、請求項６６の方法。
【請求項７２】
自動データ捕獲および配信システムであって、
装置上にある事前にプログラムされたボタンをワンタッチすることで、データの捕獲と再分配処理が自動的に行える自動データ捕獲・再分配処理メカニズムと、
商業的な公共サービスの告知を、商業用、地方自治体、軍用および私設の通信ネットワーク上に自動的に送信するプッシュ・テクノロジーを自動化するように配置された自動プッシュテクノロジーメカニズムであって、最低一つ以上の有線または可搬性無線のデータ捕獲・配信装置を備える自動プッシュテクノロジーメカニズムと、を備え
上記事前にプログラムされたワンタッチ・ボタンは、最低一人以上によって保持または着用される装置上に実装または製造されるか、宇宙、空中、水中、グランドエフェクト、陸上また地中にある最低一つ以上の構造物または可搬性のあるプラットフォーム上に取り付けられるシステム。
【請求項７３】
人のオペレータは、その人が運転する車輌のダッシュボードまたはコントロール・パネル上か、またオペレータが着用しているテクノロジーハーネス（technology harness）上か、システムを起動するためにオペレータが持っている無線装置上に設置されている事前にプログラムされたワンタッチボタンを押すことによって、データの捕獲・配信システムを始動させることができる、請求項７２のシステム。
【請求項７４】
上記自動データ捕獲・再分配処理メカニズムは、事前にプログラムされた指示を用いてワンタッチボタンを押すことによって集められたデータを、最低一つ以上の集中化された指令・制御センターまたは分散化された指令・制御センターに送信する、請求項７２のシステム。
【請求項７５】
事前にプログラムされた出力が、ワンタッチボタンを押すことで、人のオペレータやそのオペレータの作業チームへ返信される、請求項７２のシステム。
【発明の詳細な説明】
【技術分野】
【０００１】
＜相互参照＞
本願は、２００１年２月２２日に出願した米国仮出願第６０／２７０，１２８号の利益を主張するものであり、該出願全体を本願に援用する。
＜発明の分野＞
本発明は、複数の情報源から発信されるデータの収集、及び統合に関するものであり、該収集したデータの分析と使用に関する。具体的には、現在の事象に関するデータの収集、解析、統合に関する。この発明は、含まれるが限定されない画像（スチール及びビデオ）、音声、英数字等の多様なタイプのデータを収集、解析、統合するための装置を提供する。現在の事象に関するデータは分析、統合、拡張され、サードーパーティーに配信され、更なる使用のために保存されてもよい。この発明は、特に順応性のある緊急事態管理を提供するのに有用であり、災害応答及びセキュリティーだけでなく、他の使用法や商業目的にも有用である。
【背景技術】
【０００２】
本明細書中に会社／組織名、及び頭字語を用いて様々な発明が開示されているが、これは本明細書を準備するにあたり、本発明の実施の最良の形態を記述するのに最も便利な方法であり、また読者へ明確な記述が提供できるからである。従って、特定の会社／組織名及び頭字語は、単なる記述の簡便さのためであり限定したものとして扱うべきではない。本発明は、明細書中に言及した及び／または記述した特定の組織に限定されない。光陽無線アメリカはアメリカ合衆国デラウェア州の法の下組織された会社の名前である。光陽無線は日本の法の下で組織された会社の名前である。
【０００３】
日本語で「KOYO（光陽）」とは、啓蒙あるいは洞察を意味する。また、「Musen（無線）」とは、ラジオ波又は無線を意味している。よって「KOYO Musen（光陽無線）」とは、無線による洞察、啓示、又はインスピレーションを意味する。通常の商業において、光陽情報ネットワーク（KOYO Information Network、KIN）は、包括的な地域ごとの、順向性のあるデータの収集、解析、付加価値情報等を配布するネットワークとしてサービス提供を行う。惨事が起きた場合にはこのKINが生存情報のポータルになる。緊急時対応情報システム（Emergency Response Information Systems、ERIS）は、応答地域、または組織にいる全てのステークホルダーに国、州、故郷、街、地域、会社、組織、現場または基幹施設等の不意の事象または緊急の事象に関する情報を提供する。現在の事象に関する最初の警報から、事象の影響の経過、緩和まで、地方自治体の緊急事態管理システム（Municipal Emergency Management Systems、EMS）は、緊急の事象に対して適切な管理を行うための判断材料を提供している。EMSの比較的簡単な例として、いわゆる「９１１」システムがある。一般市民が交通事故を目撃した場合等に、警察・消防の電話番号９１１番に通報するシステムである。警察・消防の電話番号の交換手は、通報者から緊急な事象についての説明を聞き、どのようなEMS対応資源（救急車、消防車、水道・電気・ガス会社など）を手配すべきかを決定する。そして、緊急時のサービス提供者が迅速に派遣される。
しかし、このようなシステムは完全なものから程遠い。例えば、緊急時のサービス提供者は、事象が起こってから、あるいは緊急事態が継続している場合にはその事態が発生してから、数分後または数時間後に現場に到着するので、常に「事象発生後の時間と到着までの時間（event-plus-time）」を要す。時には事象の発生から最初の警察・消防への通報まで、長い時間がかかる場合もある。また、事象の発生場所や性質、その緊急程度などが不正確な情報として提供されるため、緊急時のサービス提供者が事故や緊急事態の現場に着いた時、例えば特別な救助用具のような更なる設備機材や特別な救助用具が必要であることを発見する場合もある。
【発明の開示】
【発明が解決しようとする課題】
【０００４】
このようなEMS緊急事態管理システムの限界に注目することで、EMS緊急事態管理システム分野において一般市民のために働く勇敢な人々の存在を否定し、消散させるような意図はもちろんない。しかし、緊急事態管理システムを先導する性能はやむなく制限されるしかない状況にある（予算、技術、訓練等）。緊急事態を確認する過程における各通信サイクルは、最初の通報から事態の鎮静までの時間を延長するものである。前述した交通事故の例において、事故にあった全員が、身動きがとれず、自分達で救助を求めることもできない状態を考えてみよう。運がよければ、現場に誰かが到着するだろうし、事故の目撃者が救助を求める通報をしてくれるかもしれない。事故現場近くの住人が衝突音を聞き、家の窓から二台の車を発見して、すぐに警察・消防へ通報し、救急車が呼ばれることもあるだろう。救急車は１５分後、道路状況や現場までの距離によっては３０分から４５分後に到着する。そして、救急隊員は、負傷者は二人という目撃者の通報に反して、実際には七人が負傷し、追加の救助資源が必要であることを発見するのである。緊急事態が人為的であれ、自然発生的なものであれ、初期の事象に関する報告にみられる混沌とした状態、危機によるストレス、怪我で動けなくなることや死亡現場を目撃したことによる拘束などはすべて、事象が発生する最初の寸時に関する不明確な現場情報が問題である。
【０００５】
最初の警察・消防への通報から、残骸除去で終了する事象の鎮静までの緊急時対応システムの質は、より正確で完全なデータの収集、解析、統合、配信を行うことで大幅に向上される。この発明は、商業ベースで考えられた順向性のあるERISを提供し、サポートする。
【発明を実施するための最良の形態】
【０００６】
本特許は、以下の添付図面にも例示した、特定の実施例に関する様々な発明をクレーム及び記述したものである。発明の詳細な説明は、添付した図面を参照するものであり、本発明の例示的な実施形態の説明である。この発明の精神と範囲を離れずに、例示的実施形態に変更を加えたり、他の実施形態とすることも可能である。よって、下記の発明の説明はこの発明を制限するものではない。むしろ、この発明の範囲は添付の請求の範囲によって画定されるものである。
【０００７】
ここで説明する装置の配置、システム、方法を使用することによって、ネットワーク上の多数の市民を動員できるようになる。この市民というのは、通常の活動やビジネスを営んでいながら、事象が発生した時には、このネットワークのために情報を収集する情報収集者となる有用性を持つ人々である。彼らは、陸線電話回線、無線電話、有線または無線の個人用携帯型情報端末（ＰＤＡｓ）例えば、パーム、ポケットＰＣ、結合電話、Eメール用装置、インターネット機器などその他の装置（これらに限定されない）を含むさまざまな装置を用いて情報を捕獲し、提供することができる。例えば、商業用の輸送フリート車輌（vehicle fleet）の運転手が、データを収集する様々な装置を実装していてもよい。通常業務の運送行程中に、運転手は地理的に広範囲な場所へ行き、車両を停車し、一日中、多くの違った場所で情報を捕獲する情報収集者となることができる。業務用フリート車輌の運転手に加えて、移動している市民も、動かないで働く環境にある普通の市民も、潜在的な情報源としてデータを受信及び収集するための装置を提供されることができる。
よって、本願による商業的に順向性のあるERISは、通常の日常的な業務や活動を大幅に中断することなく、現在の事象に関するさまざまな種類のデータおよび情報を提供できる「デジタル写真ジャーナリスト（digital photojournalist）」からなる、接続されたモバイルで無線のネットワークが含まれている。現場やその近くにいる（追加の情報を集めるために別ルートで輸送される）デジタル写真ジャーナリストから、できるだけ多くの情報を収集し、ここで説明する技術を用いて、リアルタイムで入ってくるデータを解析し、現場にいる地方自治体のEMS作業員達の為に、より完全で正確なデータを提供する。このアプローチはＥＭＳの情報収集及び配信を大きく向上させることができる。本明細書に記載する様々な技術は、自衛隊、中央政府の機関（例えばCIA, FBI, NSA, DoD, FEMA & EAS）、州当局（DES, CDC, PH, NG）、地方自治体（警察、消防、サーチ＆レスキュー、HAZMAT、ボムスクワッド等）、のような様々な機関、及び良識ある個人（CERTチームメンバーとして訓練を受けた人、及び一般市民）へ緊急時及び災害時に、より良いデータを提供する為に利用できる。
【０００８】
この発明は、緊急事態及び安全管理の適応性を目的としているが、商業への応用も可能であるのは有意義な点である。例えば、「今何処にいるか。近くには何があるか。目的地まではどのように行けばよいのか」等の情報を提供するロケーション・ベース・サービス（Location Based Service）はまだ開発段階にあるが、「近くで何が起こっているか。目的地まで安全に行くことができるのか。目的地に到着した時、どのような状態が予測できるか」のような疑問に回答するための情報もまた、提供することができる。
【０００９】
インターネットへの無線によるアクセスの普及の集中性、将来的な無線によるデジタル画像や動画のユビキタス性、既存の商業用携帯電話や無線通信のインフラの急速な高度化、およびEMSのデータ捕獲の不十分さによって、本発明の一部が示唆され、可能になったといえる。しかし、この発明が目的とするところ、およびその影響力は、緊急時対応にとどまらずより幅広いものである。さらにここで説明する発明は、商業用の現在の事象に関するデータを管理するシステムや方法を含むものである。
【００１０】
この発明の一つの概念は、現在の事象に関連し異なる種類のデータを複数の情報源から獲得し、これらのデータを解析のために中央保存局（central repository）に送信し、データ解析をおこない、その事象に関するより完全な情報を提供するために再構築し、これにより「付加価値的情報」を生成し、それら「付加価値的情報」を必要とする人々や、事象毎もしくは契約に基づいて申し込んだ人々に提供することにある。
【００１１】
この発明の利点は、従来のEMSの通信インフラに対する、商業用の上部構造を提供して、順向性のある商業用ERISを提供するものである。例えば、毎日ビジネスのために、多くの商業用車両が道路を走っており、また多くの従業員が或る行き回っている。FedEx（登録商標）やUPS（登録商標）等は、非常に多くの車両を保有しており、小包を配送するためにあらゆる道路を網羅している。国内の高速道路では、全国に荷物を運搬するトラックが常に行き交い、いつも必ず何千台ものトラックが道路を走っている。これらのトラック車両は、（多くの場合、緊急事態の通報を受け確認がとれた後でないと出動しない地方自治体の資源（asset）に比べ）統計的に見ても、頻繁に事故現場や、人の興味を呼ぶ事象により多く出くわしているといわれている。
【００１２】
誰かが警察・消防または新聞社に通報しさえすれば、この発明によって、事象の発生現場の近くにいる登録されたデジタル市民（digital citizen）が、地方自治体の緊急時の対応やマスコミではできない方法で、その事態に対処することができる。この発明の一実施例としては、現在進行中の事象に関するより完全で複合的な状況を形成する過程において、可能な限りすべてのデータを収集するために、FedEx（登録商標）やUPS（登録商標）、Coca-Cola（登録商標）の（配送スタッフ）、貨物輸送トラック、郵便局（郵便配送車両や郵便配達員）、ガスや電力のメーター検針者、一般市民等との提携によって、順向性のある商業用ERISとして、既存のEMSと協力体制を組むことがあげられる。約３分毎に、FedEx（登録商標）やUPS（登録商標）、Coca-Cola（登録商標）のトラック、その他の業務車両、あるいは一般市民が、都市の街角を通過するといわれている。この潜在的な「デジタル資産」は、通常の業務を遂行中であり、全員が既に会社や事業所と連絡をとるための双方向な情報通信機器を完備している。このように何らかの業務を行っている人々や会社は、既に携帯電話、無線、衛星通信等による何らかの情報通信機器を完備している。
また高度な貨物輸送システム（空路、陸路、線路）は、GPSデータを含む衛星通信機器を搭載しているものもある。この発明は、KIMへのデータ捕獲を可能にするために、これらの業務用、あるいは一般市民向けの情報通信システムに、ハードウエアやソフトウエア、ファームウエアを追加として実装する。現場で収録されたデジタル画像、デジタル動画、および音声は、解析のために中央保存局に送られ、再配信のために再統合がされる。この発明では、災害や危機が予想される現場（火山噴火、豪雨・土砂崩れが頻繁にある山地、地震エリア、交差点や地下鉄駅等の交通量の多い場所）や、人口の多い場所、あるいは戦略的に重要な場所やインフラ（空港、スタジアム、生産工場、処理場、倉庫施設、人口の多い都心部やその他）にデータ捕獲装置およびセンサーを事前に設置することも考えられる。
【００１３】
このような付加価値データは、それらを必要とする人々、あるいは希望する人々に、事故、緊急事態、災害、ある場所における商業関連またはスポーツ関連のイベント、戦略的に価値のあるインフラ（空港、鉄道、原子力プラント、食品・石油処理プラント）や、人々が興味を持つ催しについて、より完全で正確な状況を提供する。
【００１４】
また、他にもさまざまなレベルで人々が関与する。例えば、配送トラックは決められた時間までに配送しなければならないため、興味のある事象に出くわしても、そこでトラックを止めるわけにはいかない。しかし、その運転手はトラックの速度を落とし、ダッシュボードにあるボタンを押して音声でコメントしつつ、その事象の現場を通過する際、デジタル画像や動画を撮影することもできる。事象に関する最初のデータは、解析のため中央保存局に送られ、再構築されて適切な人々に提供される。例えば、この運転手は、「今、私はI-６６道の２６マイル道標付近をダラス空港に向かって西の方向へ走っているのですが、一台の車がボンネットから煙をだして、道路脇に停車しています。救助を送ってください」と言い、そのまま運転を続けられる。このような場合、この発明の利点は、この運転手の業務をほとんど全く乱さないことである。
【００１５】
上記の例では、最初に受けた通告を利用して、他の「近隣にいるデジタル資産」を始動し、事象に注目させ、データ収集を開始する。もしトラックの運転手に余裕があれば、より良好なデータを集めるためにゆっくり走行し、あるいは道路脇にトラックを停車して、携帯の無線機器で音声や動画など事象のデジタル画像を撮り、救助を求める通報をすることができる。この動画や音声は解析のため、中央保存局に送信され、再構築され、進行している事象について「付加価値」の高いリアルタイムの情報が生成され、適切な人々に提供される。事象に関するこれらのデータは、後に、地方自治体の各当局、マスコミ、保険会社の損害査定人、その他の配送者にとって、非常に重要なものとなる。この発明の重要な側面は、「付加価値」の高い情報提供者とパートナーになるために他の業務を行う個人、企業、ビジネス機関に報奨金等を出すことだけでなく、地域社会と協力して地域のためになる価値を提供することにある。
【００１６】
当社システムの契約加入者やシステムにログオンするその他の加入者の特典は、彼らが現在の事象に関する一部の情報を送ると、複合的な情報を受け取ることができるという公平な交換にある。例えば、ある顧客が一部の情報をKINに送ると、この断片的な情報は他に送られてきた情報と統合され、その顧客のもとへ返信される。この返信された情報とは、順次発生しつつある事象の明らかな全容であり、事象に関連する情報が統合されたものである。一つの事象に対して、４人が情報を送ってきた場合、このデジタル資産が、それぞれ４つの違った方角から送られてくることを想像されたい。つまり、同じ事象に関するデータを４つの違った情報源から捕獲することができるのである。その結果、複合的、すなわち「付加価値」の高い情報を創り出すことができ、この付加価値情報をリアルタイムで加入者に提供することができる。言い換えるならば、当システムは「順向性（proactive）」であるということである。また、双方向通信ができる情報通信装置を保有するＫＩＭを利用している集団、およびチーム等のあらゆる者に、情報を収集する能力と、関心を持っている人・団体に潜在的に販売することのできる情報を知らせる指示とを与えることにより、それらの者を活気づける。例えば、配送トラックの運転手がハイウエイI-６６の渋滞を見て、本部を呼び出し、「I-６６の４９５ベルトウェイ付近で渋滞が起きている。配送トラックはこの道は避けるように。ここにくれば身動きできなくなる」と伝える。これらの発明を用いることで、情報は他の全ての集団の管理人に価値のある情報としてコンテキストの中に位置づけられ、他の運輸会社やビジネス関連機関に販売することができる。最終的にサードパーティが情報を購入した場合、その情報を収集した人に報酬があたえられ、情報を集めようというインセンティブが生まれる。本システムの管理者は、ありとあらゆる情報を受信、解析、統合して、情報を求める消費者に対し、好ましい形式で提供することができる。実際、進行中の事象に関する情報をリアルタイムで求める市場がある。本システムによって、進行中の情報を消費者に届け、情報を集めた人に報酬を与え、参加するインセンティブを高める方法を提供する。
【００１７】
この発明のもう一つの利点は、健康、環境および安全性に関する災害の復興の分野における商業利用ができることである。例えば、大手の薬品会社が、数千エーカーの土地に数千人の従業員を抱え、巨額の化学薬品原料や設備のある工場をもっているとする。何かがうまくいかなければ、この工場で爆破などの大惨事が起こり、損失が発生するだろう。その会社に責任があろうとなかろうと、会社はその事故が業務怠慢で起きたのではないことを証明したいと望むだろう。その際、損失をまねいた事象や状態を立証し確認して、損失の過失を決定する必要がある。そこで、本願による配置は、ビデオカメラ、オーディオ機器、センサー、測定機器等の装置を提供し、KINがそれらに工場から迅速にデータを収集して、何が原因なのかを即時に評価する能力を提供するように発動し、警察当局、保険会社、弁護士、従業員、供給業者またはメディアなどの利害関係人を含むその企業の価値ネットワーク全体への対応が向上するように、またかつて無かったより正確な情報を提供できるように、企業に何が原因なのかを即時に評価する。
【００１８】
また、この発明の他の役立つ分野に、統合されたデータを共有するネットワーク上のビジネスがあげられる。例えば、小売業の副社長が、年末年始（ホリデー）商戦期にさしかかり、５００店舗のクリスマスの飾り付けを確認しなければならない。彼は３日かけて飛行機で各地域に飛び、各店舗を見てまわるか、あるいは各店舗の支店長にクリスマスの飾り付けのデジタル写真を撮影させ、弊社のサービスにアップロードさせることができる。KINは、アップロードされた全ての写真を解析し、許容範囲を逸脱した展示について報告を行う。これによって、副社長はその装飾についてどの店舗に連絡すべきか即刻に判断できるのである。
【００１９】
ERISの最も有効な利用方法は、なんらかの危機状態が生じている最中、コンテンツをマスコミに提供できること、それから事象が終了した後、動画、テレビ番組、ドキュメンタリーなどの業界に、そのコンテンツを提供することである。事象が進行中の際、多くの場合、マスコミは事象の発生現場にさまざまな資源やクルーを送り込むが、クルーを送り込んだことが「商業的」に価値があるかどうか評価できるのは、数時間から数日たってからである。しかし、現場の資産を利用するという本サービスによって、プロのクルーを出動させる必要のない、あまり「重要でない」ストーリーが多数存在していることがわかる。また、劇的に低価格でコンテンツを購入できるため、マスコミはKIMからのコンテンツ「アマチュア写真ジャーナリスト」によるコンテンツへアクセスできることに満足するだろう。十分なプロダクション・クルーが現場に出動したとしても、弊社のシステムに参加する人数自体が多いため、より有用な画像、スナップ写真、目撃証言などの有用な資産をマスコミに再販することができる。事象の後、もし報道価値があれば、本KINに提供されたコンテンツが、映画、テレビ番組、ドキュメンタリーの構想にもつながる。また、公文書の情報として公文書館などのメディア源へ販売することも可能である。
【００２０】
この発明は人間と人間のつながりとその通信ツールを提供する装置、方法およびシステムを含んでいる。人間社会の生活環境を改善するために、受難者を助ける準備のある者に正確でタイムリーな情報を提供することにより、本発明は、地域社会に打撃を与える自然災害（台風、火山噴火、地震、火事、洪水）あるいは人為的な災害（テロの攻撃、産業事故、不均整の戦争）の被害を最小限にとどめることことに貢献する。この発明は、他者との協力や、他者のために行う事を助長し、「電子村（バーチャルコミュニティ）」を本物の意味での人間協力を育てる、本物のつながりや、本物のコミュニティに一歩近づけように設計されている。他の者にとっては、利益が約束されるという動機付けにより、本システムに参加することが奨励される。
【００２１】
図１は第一番目の実施例であり、データを捕獲し利用する方法の説明である。データの捕獲・利用方法は、最低一つ以上のデータ捕獲装置（１１０）が、最低一人以上の個人（１１２）、または最低一つ以上の構造物（１１４）上か可搬性のあるプラットフォーム（１１６）に搭載され、受け継いだシステムデータを解析し、要求を求め（１１８）、現在の事象の発生現場もしくはその事象の影響を受ける可能性のある近隣のいずれか、またはその両方にあるデータ捕獲装置（１１０）から新しい特定の生データ（１２０）が捕獲される。集められたデータには、生データ（１２０）か、情報源のデータを再統合化したデータ（１４０）が含まれる。関連づけに基づいて再統合したデータ（１４０）は付加価値データである。捕獲された生データ（１２０）は、少なくとも一つの集中サーバまたは分散されたサーバーを備える集中化された指令センターまたは分散化された指令センター（１５０）に送信され、どの部分のデータを前進させるべきか解析する処理が行われる。捕獲された生データ（１２０）と解析されたデータ（１６０）は、保存サーバー（１６５）または事象専用のデータベース（１７０）のいずれか、またはその両方に保存される。捕獲された生データ（１２０）は、進行中の事象を示す事象データと共に再統合され、全てのデータが付加価値データ（１４０）として再統合される。付加価値データ（１４０）というのは、ある事象に関連するものであって、少なくとも一つ以上の捕獲された生データ（１２０）か、または捕獲された生データ（１２０）および事象のデータの自動解析によって形成されたデータを含むといえる。捕獲された生データ（１２０）や再統合された付加価値データ（１４０）は、最低一以上のサードパーティ（１９０）に配信される。
【００２２】
図２は情報交換のためのKOYO情報ネットワーク(KIN)の模式図である。この配置は、図２で説明するように、KINと、加入者（subscriber）たる個人、企業、機関、又は組織との間の情報交換のための「プッシュ」および「プル」技術を基盤としている。「プッシュ」テクノロジーの例としては、KINから発信されるポケベル、携帯オーディオ、携帯のテキストメッセージ、ファックス、ウエブ（Web）、有線、ラジオ、ネットラジオ、ケーブル、テレビ放送、その他が考えられ、KINのプロコトルに従ってデータが準備され、配信される。「プル」テクノロジーの例には、KINウエブポータルからの検索エンジンのリクエスト、通告のリクエスト、緊急時の事象情報などに関するデータベースへの問い合わせなどがあげられる。
【００２３】
この発明の情報の「プッシュ」「プル」技術は、情報に対する既知の全ての要求を満たす解答を解析し、自動的に提供しようとするゆえに独自性がある。KINは、無数の生データを集められる容量のシステムを提供することによって、リアルタイムで独自の情報を提供し、自動的にタグもしくはデータを定義するメタデータ構造を割り当てる。その結果、KINは情報を解析、関連づけに基づいて再統合し、それを事象に関する「新しい」データとしてサーバーに保存する。これによってKINは、包括的なコンテンツをオン−ザ−フライで再統合することができ、各加入者の要求を満足させる付加価値情報を瞬時に創出すことができるのである。
【００２４】
KINを利用することによって、事象が発生するたびに行われる通知と、事象に関して規則的あるいは定期的に更新される通知を同時に提供できる。つまり、一般的な事象の発生の通知を望むクライアントエンティティ（entity）もいるだろうし、特定な事象やセンサーの状態について、規則的あるいは定期的に情報の更新を望むエンティティもあるからだ。前者の場合は、「情報回路」は「ノーマルオープン」と考えられ、事象が発生するまで通知はされず、エンティティも情報の要求をしない。いったん何らかの事象が起きると、情報回路が「クローズ」され、適切（重要）で、一般の人々もしくは特定の利用者が興味を持つと判断されたデータや情報を、KINが提供（「プッシュ」）するのである。しかし、加入者の中には、「もしこのような事が起きた場合に知らせて欲しいおよび、これらのセンサーをこのような周期で監視して欲しい」という要求もある。そのような場合には、加入者のプロフィールに登録された要求事項やリクエストおよびダイナミックなリクエストから、KINから定期的にデータが送られてくる。前者の場合は、KINがあらかじめ設定された加入のリクエストとプロフィールにしたがって事象に関する情報を配信するため、KINは事象の情報が重要であるかどうかを判断し、配信する。後者の場合は、エンティティは何が重要であるかを決めて、事象の発生に関係なく、KINから定期的な状況報告を受けられるように事前に要請する。
【００２５】
前述したように、テロの攻撃や化学薬品の流出、ひどい交通事故などのような事象が起きた場合、KINは事象発生付近の一般地域における加入者全員に予備的な状況報告を通報し、そして、システム上のエンティティに対しては、事象に関するより多くの情報を要求できる機会を与える。したがって、この場合、情報はイベントの発生によって配信される（event drivenである）。しかし、エンティティが、例えばホームセキュリティ会社のようなところと契約をしていれば、そのホームセキュリティ会社に対して、常時保護エリアを監視することや、事象が起きた場合に即時に通報してもらうことを要求するだろう。すなわち、これは、例えば「誰かが保護エリアに進入したら、瞬時にメッセージをください」というような「逸脱状態（deviation）」が見つかればアクションを必要とする、センサーの入力状況を周期的にテストするように客が要求する場合である。KINは、各エンティティに独自である加入者要求とプロフィールに基づいて、業界あるいはエンティティに特有の情報を提供する。
【００２６】
KINは情報理論の独特な概念を基に運営されている。この情報理論に類似するものとして、電気エネルギーの原理がある。エンティティの情報入力はエネルギーのようなものであり、電子（−）のように表現される。また特定の情報に対するエンティティの要求は、前記のエネルギーに対する要求（＋）のようなものである。エンティティが事象（あるいは、他のいかなる重要な価値情報）に関するデータや情報をもっている場合、それをKIE（−）（２１０）と呼ぶ。すなわち、KIE（−）（２１０）のマイナス記号はデータや情報の源を描写する。ここでの情報エンティティ（Information Entity）とは、事象や事象の環境に関するデータおよび／または情報を発信する個々の装置またはセンサーを意味する。
【００２７】
エンティティが事象（または他のいかなる重要な価値情報）に関する入力、データ、情報を必要とする場合、これをKIE（＋）（２３５）と呼ぶ。このKIE（+）（２３５）のプラス記号は、事象に関する入力、データ、情報の要求を表現するとともに、情報エンティティまたは上記を要求した加入者を描写している。この動きは電子原理とよく似ている。（−）と（＋）は互いに結合を所望している。入力（−）はエネルギーや価（value）をもつ電子のようなものである。（＋）はエネルギー、価または情報を要求する側、または受け取り側である。電子工学では、（＋）は孔と呼ばれている。KIE（−）（２１０）は、KIE（+）（２３５）が存在すると、真空状態に引きよせられ、KIE（+）（２３５）はKIE（−）（２１０）を所望している状態にある。このように、KINの役割は、データを収集し、既存の知識によって解析、再統合して、新しい情報を求めるエンティティの要求を満たす情報提供を行うことにある。
【００２８】
KIPU（２２５）は、光陽情報処理装置（KOYO Information Processing Unit）であり、入力のためにそれぞれのKIE（−）（＋）から演算を行い、数値演算、論理演算、人工的手法（ファジーロジックおよび人工知能）、パターン認識、帰納的および推論的理論を使って出力のための新しいKIE（−）（＋）を創出し、各KIE（−）（＋）を識別分類する処理エンジンである。
【００２９】
KIPN（２３０）は光陽情報処理ネットワーク（KOYO Information Processing Network）であり、仮想的な論理装置として集中化または分散化される複数のKIPU（２２５）を備えてなり、発展しつつある事象の映像・画像等（image）を提供し、同時に、後の研究や解析のためにその事象のタイムスライスを保存する。
【００３０】
KIP（２２０）は光陽情報パイプ（KOYO Information Pipe）である。KIP（２２０）は仮想のパイプであり、各KIE（−）（２１０）を各KIE（＋）（２３５）へ直接つないでいる。このパイプは、情報通信回路が各段階において物理的にどのように接続されているかいないかに関係なく、元々のエンティティの要求を満たすために、あらゆる情報通信ルート（有線または無線）を通過し、インターネットを通じて、センサーまたは入力機器をKINへとつなぐ仮想接続である。
【００３１】
KIRは光陽情報レゾリューション（KOYO Information Resolution（解決））の略語である。KIRはKIE（-）（２１０）とKIE（+）（２３５）をリアルタイムでつなぐレゾリューションエンジンテクノロジーである。KIRは入力と、そのデータに対する既知の全ての要求とを満たす各エンカウンター（encounter（遭遇、マッチング））を解決するエージェントあるいは制御装置に相当する。KIE（−）（２１０）の場合、KIRはKIE（-）（２１０）にマッチする全てのKIE（＋）（２３５）を探すため、KIE（＋）（２４０）探索テーブル（既存の要求に関する動的な探索テーブル）の最新状況を調べる。KIE（＋）（２３５）の場合では、KIRはKINが独自に創出したデータや情報を伴った、要求を満たすKIE（−）（２１０）の事例を全て見つけようと試みる。KIE（−）（２１０）とKIE（+）（２３５）間のKIRとして表現されたエンカウンターの範囲は、K-ET（２４５）（KOYO-Entity Table、K-ET（２４５）の探索テーブルは既存の入力データの動的な探索テーブルである）と、K+ET（２４０）（KOYO+Entity Table）と、入力データと要求のマッチングを解決する処理を行う、レゾリューションエンジンとしても知られるKIRU（２５０）（光陽情報レゾリューション装置、KOYO Information Resolution Unit）と、レゾリューションエンジン同士を連結するネットワークであるKIRN（２５５）（光陽情報レゾリューション・ネットワーク、KOYO Information Resolution Network）によって実現する。
【００３２】
K-ET（２４５）は、全KIE（−）（２１０）の事象プロフィールタグ（KIE event profile tag）（２６０）を発行する情報テーブルである。タグ（２６０）は、KIE（+）（２３５）のありとあらゆる要求を解決するために、十分細かく記された情報内容を提供するのに用いられるメタデータの要素である。K-ET（２４５）では、実際のコンテンツが大きすぎるからタグ（２６０）のみが登録される。その例として、直接マッチするものが見つかるまでは、ストリーミング・ビデオの部分を送りたくない場合である。KIRU（２５０）では、毎秒数千ものタグが同時に解決（resolve）されうる。
【００３３】
K+ET（２４０）は、全KIE（+）（２３５）の事象プロフィールタグ（２６５）を登録する情報テーブルである。タグ（２６５）は、KIE（−）（２１０）のありとあらゆる可能な機会を解決するのに十分細かく記された、要求を送った加入者（appetite subscriber）またはリクエストを識別するのに用いられるメタ要求要素である。実際のプロフィールまたはリクエストが大きすぎるため、例えば、直接マッチするものが見つかるまでは、ストリーミング・ビデオ部分を送りたくない場合があるので、K＋ET（２４０）では、タグ（２６５）だけが登録される。
【００３４】
KIRU（２５０）は、K-ET（２４５）とK+ET（２４０）と、各エンカウンターを解決するのに十分な並列処理ユニットとから構成されている。情報処理の負荷が増大すれば、その都度リアルタイムかつオン−ザ−フライでKIRUが追加され、（機能に故障が起きた場合は）ホットスワッピングされ、（ネットワーク上の負荷が増加した場合は）ホットアディション（hot addition、電源を落とすことなく装置を追加すること）される。
【００３５】
KIRN（２５５）は、各K-ET（２４５）とK+ET（２４０）のマッチングを協働して探す仮想の論理的なレゾリューションエンジンとして、同一場所に集中設置され、および／または分散設置される、複数のKIRU（２５０）を備える。
【００３６】
緊急事態やユニークな事象の情報が発生し、その情報がエンティティのデータ入力装置またはセンサーによって記録されると、KIE（−）（２１０）が創出される。システム上のあらゆるエンティティからKINに要求が通信されると、一つのKIE（＋）（２３５）要求が作られる。別な表現でいえば、事象のデータが捕獲され、データがタグ付けされると、KIE（−）（２１０）のデータ要素が創出される。KIE（−）（２１０）は、自身を解決するKIE（+）（２３５）要求を探す。あるエンティティがKINに対して特定の要求をした場合、一つのKIE（＋）（２３５）の要求が創出され、この要求、あるいは要求（アペタイト）タグ（appetite tag）は、KIE（−）（２１０）データ入力の適切な範囲からそれに適した入力を探す。その後、KIRU（２５０）は、どの入力がその要求（アペタイト）を満足させることができるのか、またどの要求がどの入力で満足するのかを解決し、そしてKINが要求（アペタイト）に対してサービスを提供する。よって、KIE（−）（２１０）データは、事象データとそのタグをKINに運ぶ役割を果たす。しかし、KIE（＋）（２３５）要求（アペタイト）は、二通りに動作する。まず、生の要求（アペタイト）がKINに伝えられ、既にシステム内に解答が存在するかどうか調べられ、解答があれば、システムがその要求の発信元に解答を送り返す。各KIE（−）（＋）は結合され、無数のエンティティからの情報やデータを受信することができる。KIEの（−）と（＋）の両者は、事象または要求が起きたときだけ、またはその両方が起きた時のみ創出されるのではなく、KIPU（２２５）の演算によっても動的に創出される。KIE（−）（２１０）データはKIPU（２２５）によっても創出され、システム内の全入力データからリアルタイムで創出される付加価値情報を表すものである。一方、例えば、KIE（+）（２３５）が演算を解決したり、あるいは複合的、定期的あるいは複雑な要求を満たすために、より多くの入力が必要な場合にKIE（＋）（２３５）の要求は、KIPU（２２５）によっても創出される。
【００３７】
図１に示したデータ捕獲装置（捕捉装置）（１１０）は、可搬性がある、携帯機器、家電（例えば、テレビやセットトップ・ボックス）、あるいは他の情報端末などであってもよい。データ捕獲装置（１１０）は、音声、動画、GIS/GPS、デジタル画像、テキスト情報、その他のデータ、電波、あるいは計測器の測定値等を捕獲する。データ捕獲装置（１１０）は無人であってもよいし、それぞれ独立し、スケジュールに従って動作することもできる。特に、各データ捕獲装置（１１０）には、最低でも一本以上の有線（１１４）または可搬性のある（１１６）無線のデータ捕獲・配信装置が含まれており、この例として、デスクトップ・コンピュータ、携帯のラップトップ・コンピュ−タ、ハンドヘルド・コンピュータ、有線カメラ、データ・レコーダなどが挙げられる。データ捕獲装置（１１０）は、ビーパー、ポケベル、双方向のテキスト送受信器、無線の個人用携帯情報端末、携帯電話、無線、無線のデジタル・カメラ、VCR、DVRなどを含んでもよい。
【００３８】
捕獲したデータ（１２０）の情報源は、レゾリューションエンジン（１９２）送られ、データは、他のデータ捕獲装置（１１０）か、捕獲装置に内蔵されたサーバー（１５５）か、KINとは共に作動しない他のコンピューティング・プラットフォームを含むサードパーティ（１９０）か、あるいは、それぞれ集中化および／または分散化されたサーバー処理を伴う集中化されおよび／または分散化された指令センター（１５０）に送信される。集中化されおよび／または分散化された指令センター（１５０）は、それぞれ、単一のロジカル・サーバー・ファーム（logical server farm）として、または総括的なデータベース（１７０）を格納する単一のロジカルデバイスとしていくつかのサーバー（１５０）が使用する一種類のデータの処理を行う特殊なサーバーとして機能する。最初の配列では、捕獲したデータは他のデータ配信センター（１５０）に送信され、センター間におけるデータのリレーは、指令やコントロールの特徴をほとんど、あるいは全くもたない状態で行われる。捕獲したデータ（１２０）は、専門処理（Expert Process）（１９４）によって、数学式、論理操作、人工推論、人工知能、演繹論法、帰納論法、履歴解析、トレンド解析、パターン認識、その他の解析方法を用いて解析される。その後、再統合されたデータ（１４０）はリアルタイムで提供されるか、一般の消費者に後日提供されるか、内部利用のために蓄積される。
【００３９】
少なくとも一つ以上のデータ捕獲装置（捕捉装置）（１１０）から集められたデータ（１２０）は、同時に、集中化および／または分散化されたサーバー処理（１５０）を伴って集中化されおよび／または分散化された指令センター（１５０）へ、また、指令やコントロールの特徴をほとんど、あるいは全く有することなく、情報ストレージや配信センターに送られる。集中化および／または分散化されたサーバー処理（１５０）を伴った集中化されおよび／または分散化された指令センター（１５０）は、それぞれ複数の場所で複数のサーバーを作動する分散配置されたデータベースを備え、そのデータベースには同一情報をもった複数のミラーがある。各サーバーが破損したり、機能故障が起きた場合にデータの損失を防ぐため、蓄積されたデータは定期的に異なる場所にある複数のデータ・サーバーで複製され、効果的にバックアップが行われる。
【００４０】
現在の事象に関して捕獲されたデータは、最低一つ以上のデータ捕獲装置（１１０）から、商業用、地方自治体、公共あるいは私設の情報ネットワーク、例えば有線、POTSや、携帯電話やラジオ等の無線を通じて、集中化されおよび／または分散化された指令センター（１５０）へ送られる。データ捕獲装置（１１０）を提供された加入者とは、または一つ以上のデータ捕獲装置（１１０）を使用して、現在の事象および／または事象の近くの地域に関するデータを捕獲する人間（１１２）である。個人の加入者とは、例えば、市民、地方自治体の職員、商業または企業の従業員、マスコミ関係者、市民のボランティア、陸軍軍人、あるいは事象の最新状況について情報を捕獲するためにさまざまな計測（measurement）を認められた個人等、社会のあらゆる人々があげられる。データ捕獲装置（１１０）を提供された動物とは、データを収集する目的で人と一緒に作業ができるように訓練を受けた動物も含まれる。可搬性のあるデータ捕獲プラットフォームとして、個人が自分の車を運転することも考えられるし、あるいは地方自治体のサービス用車輌、商業用車輌、軍用車輌、または一般市民からなる臨時の集団等を、データ捕獲プラットフォームの協働するフリート（車輌群）として、個人の集団が車輌のフリートを運転することも考えられる。
【００４１】
ここでいう現在の事象とは、緊急事態、商業用のイベント、マルチメディアのイベント、公益行事、公共サービスのお知らせ、行事、政府の通告や会報、軍事行動や、人に興味を与える事象等のたくさんの事象があげられる。また、現在の事象は、人為的なもの（テロの攻撃あるいは産業事故）もあれば、自然発生的な事故、災害、集団や個人の医療危機や、大規模な現場・戦略的インフラ・人口過多な領域等における災害防止の活動などが考えられる。
【００４２】
使用される構造物としては、ビル、橋、柱、やぐら、山に設置されたデッキ等の、固定され、独立して存在するその他の構造物（１１４）が考えられる。少なくとも一人以上のサードパーティ（１９０）とは、一般市民、ニュース収集局、地方自治体や軍の緊急時対応組織、設備会社（ガス、水道、電気、電話、道路公団、その他）、インターネットのポータル、ウエブ上のアクセスポイント、映像やドキュメンタリーの制作会社、保険会社や、その他、生データまたは解析されたデータのアクセスを望むあらゆるグループ、組織等が考えられる。ここであげられた地方自治体の緊急時対応組織とは、全ての緊急事態管理局、公共の情報施設、ボランティアや商業用、私立、あるいは公共の基金で設立されたその他のグループのことである。公共の情報施設には、気象庁、洪水監視組織、地震センター、警察・消防局、捜索隊、毒物処理チーム、爆破物処理チーム、反テロ組織、国防軍、地方民間組織、CERTまたはボランティアグループ、軍組織等が含まれる。
【００４３】
再統合されたデータ（repackaged data）（１４０）と生データ（１２０）は、サードパーティ（１９０）へ販売することによって、商業目的に利用することができる。また、内部での利用や、将来、サードパーティ（１９０）へ再販するために、データベース（１７０）に保存することもできる。再統合されたデータ（１４０）は、付加価値データであり、捕獲されたデータ（１２０）および事象全体を説明する複合データ（１４０）を含んでいる。また、このデータ（１４０）は、一人以上のサードパーティ（１９０）に、リアルタイムで、あるいは時間を遅らせて、あるいは編集された番組放送に、あるいはオンデマンドで、あるいは事象発生に応じて提供され、あるいは内部利用の為に指定場所（１９６）に保存され、あるいは後に一人以上のサードパーティ（１９０）に再販売される。
【００４４】
図３は、センサーがデータを捕獲し利用するために、コマンドまたはデータセンターと協働して作動する第二実施例の模式図である。反復を避けるために、特記しない場合以外は、この発明の各実施例において同一、あるいは類似した特徴は、他の実施例と同一、あるいは類似した方法で作動している。データを捕獲し、利用する配列は、緊急事態に関連するデータを測定するため、一台以上のセンサーを設置し、現在の状況からデータを捕獲し、現在の事象または状況の近隣データ（３２０）を捕獲するために、一台以上のセンサー（３１０）を利用し（ここで受信されるデータは、情報源から入力される生データ（３２０）および／または再統合および／または価値付加されたデータ（３４０）を含む）、捕獲されたデータ（３２０）を、集中化および／または分散かサーバ処理を伴って集中化されおよび／または分散化された指令センター（３５０）へ送信し、生データおよび解析されたデータ（３６５）をデータベース（３７０）に保存し、捕獲されたデータ（３２０）を進行中の事象のデータと共に再統合（repacking）し、この捕獲データ（３２０）を含む再統合データ（３４０）を事象の複合データ（３４０）として提供し、データと事象の自動的な解析を展開して、少なくても一以上のサードパーティ（３９０）にこの生データ（３２０）と再統合したデータ（３４０）を提供する。
【００４５】
このセンサー（３１０）は、あらゆる人々、例えば、一般市民、地方自治体の職員、商業や企業の従業員、マスコミ関係者、一般のボランティア、軍の隊員、あるいは事象の最新状況の測定を許可されているその他の個人等にとって入手可能な装置である。このセンサー（３１０）は、あらゆる事象に関して測定を行うために、事前に決められた地域に配置される。事前に決められた地域とは、経験的に事象が発生する可能性の高い地域や、事象が前もって計画されるような場所である。他には、事象に近い場所、山頂や高層ビル屋上のように特別に事象を見渡せるような場所、川や土砂崩れように事象が移動しながら継続的に発生するその上手や下手、あるいは被害が予想される場所、緊急事態を引き起こす事象の発生を左右する場所、あらゆる催し物の会場や場所、公益の建物、人が多く集まる場所、ドキュメンタリーとして価値のある事象が起こりやすいと予想されるか、事象が計画されている場所等がある。
【００４６】
捕獲されたデータ（３２０）は、事前に決められた一箇所以上の地域における最新状況を示し、集中化されおよび／または分散化された指令センター（３５０）に周期的に送られる。センサー（３１０）は、人が着用、あるいは携帯する計測器が考えられ、人の転倒（man down）情報、生命徴候、配向（垂直方向または水平方向）情報や、GPSの場所情報などを含む、個人のステータスを表示する。このセンサー（３１０）は、水位、振動、温度、天候、建造物、門やドアの開閉状態、機械の稼働状態等を感知するものや、その他のあらゆるタイプのセンサーが挙げられる。また、アナログ、デジタル、両者が混合したタイプも考えられる。他のタイプのセンサーとしては、人に近接して設置され、人命に影響を与えるあらゆる場所に設置され、生物測定学的認証・確認や、生化学的なハザード査定等、人命に適当な環境状態を測定するセンサーが挙げられる。
【００４７】
最初の実施例と同様に、第二の実施例で捕獲された現在の事象に関係のあるデータ（３２０）は、センサー（３１０）から集中化されおよび／または分散化された指令センター（３５０）へ、さまざまな商業、地方自治体、私設のコミュニケーション・ネットワーク、例えば、第一の実施例と同様に、有線、POTS、携帯電話やラジオのような無線等を介して送信される。
【００４８】
このセンサー（３１０）は、音声、動画、GIS/GPS、デジタル画像、テキスト情報、ＲＦＩＤ情報や、その他の電波や計測器の測定値を捕獲する。再統合されたデータ（３４０）と生データ（３２０）は、第一の実施例と類似した働きをする。
【００４９】
図４は第三の実施例の模式図である。この実施例は、データ解析のための配置を示している。複数の集中化されおよび／または分散化されたデータベース・サーバー（４７０）をわたって一連の情報処理装置（４２５）を動的にネットワーク化する少なくとも一つ以上の情報処理ネットワーク（Information Processing Units、図２の２３０を参照）と、複数の集中化されおよび／または分散化されたデータベース・サーバー（４７０）をわたって一連の情報レゾリューション装置（、Information Resolution Units、４５０、この図では一つのKIRしか表示されていない）を動的にネットワーク化する情報レゾリューションネットワーク（Information Resolution Network、図２の２５５参照）とを設けることを特徴とする。受信データは自動的に分析される。受信データは生のデータ（４１０）、及び／または再統合されたデータ（４２５）／情報源から送られた付加価値データ（４２５）、を含んでいる。受信データエンティティ情報テーブル（４４５）が創出される。加入者の要求は収集され、加入者要求のエンティティ情報を表すテーブル（加入者要求データエンティティ情報テーブル、４４０）を創出する。KIR処理装置は、事象に関連しうる情報への特定の加入者エンティティ要求（４３５）を伴う生データ（４１０）および／または再統合化されたデータ（４３０）をマッチングさせるシステム理論によって、データエンティティテーブルと加入者エンティティテーブルを解決（resolve）する。データの解決（レゾリューション）結果を複数の集中化されおよび／または分散化された情報処理装置（４２５）に報告することによって、現在進展している事象の展開している複合画像や、事象の周辺地域の状況や事象に付随するデータを提供するか、あるいは事象の進行中に加入者から要求されたその他のあらゆるデータを提供し、情報処理装置（４２５）と、一以上のサードパーティ（４９０）にそのような生データや再統合されたデータを提供する。
【００５０】
データ（４１０）、（４３０）は、情報源からの入力、データサーバ（４７０）、外部データ、インターネット、公共及び私立の資料や研究所ネットワーク、業務用及び組織団体のウエブサイト、および／または適切で関連のあるデータのその他の情報源から創出されている。事象の情報に対する要求（アペタイト）は、サードパーティ（４９０）と、情報処理装置（４２５）とから送られ、各要求は、タグがつけられて、加入者要求テーブル（４４０）に保存される。情報処理装置（４２５）は、数学式、人工的な推論、人工知能、演繹及び帰納法、履歴解析、トレンド解析、パターン認識、あるいはその他の解析方法論を用いて各データ（４１０）（４３０）を解析する。この情報処理装置（４２５）は、データ（４１０）（４３０）を処理する演算、解析処理装置であり、展開する事象についてまとまりのある複合された全容を表す映像・画像を提供するか、および／または事象に関する関連する解答を演算するとともに後の研究解析のために、事象のタイムスライスを保存する。更に情報処理装置（４２５）は、データ要素を適切に翻訳するために、何が必要であるかを演算する。そのデータ要素には、アーカイブおよび外部の情報システムを持つ外部データ・サーバーからのデータにある図面、GIS/GPSデータ、地理学的データ、政治経済学的データ、地質学的データ、気象学的データ、企業のウエブサイト、公共及び私立の資料研究ネットワーク、商業及び組織団体のウエブサイト、KIRU（４５０）の既存データや、データベース・サーバー（４７０）からの潜在的データ入力等を含む適当で関連のあるあらゆるデータ（４１０）があげられ、これら全てはデータ要素をより有効な内容にするために比較される。
【００５１】
再統合されたデータや、集中化されおよび／または分散化されたデータベース・サーバー（４７０）に保存されたデータは、最初の二つの実施例と同じように作動する。しかしながら、この実施例では、最初の実施例（図１）におけるデータ捕獲装置と、二番目の実施例（図３）におけるセンサーは、仮想パイプ（４１８）および（４２０）を介して、情報ネットワークと、インターネットおよび／または、有線、POTS、または携帯電話やラジオなどの無線といったさまざまな商業用、地方自治体、私設の通信ネットワークを通じ、集中化されおよび／または分散化された指令センターに、情報通信系統の各段階における物理的な配置にかかわらず、接続される。これにより、情報への要求を表す加入者またはエンティティ（４９０）は、これらの装置を通じてデータにアクセスを許可されるのである。
【００５２】
情報レゾリューションネットワーク（図２の２５５参照）は、データ入力と、そのデータに対する既知の全ての要求との間のエンカウンターをリアルタイムで解決する理論テクノロジーを提供する。更に、この情報レゾリューションネットワークは、データに対する要求と、その要求を全部、あるいは部分的に満足させる可能性のある既知の全入力との間のエンカウンター（マッチング）を、リアルタイムで解決する解決エンジン（Resolution Engine）を提供している。図４において、KIE（−）のラベルがつけられた全受信データ（４１０）（４３０）は解析され、情報を一意に定めるタグがリアルタイムで創られ、データ要素をユニークなものとして定義する現存するデータ入力や、データ要素の日時スタンプや、そのデータを提供したエンティティに関する情報のデータベース（４４５）に保存される。同様の手法で、図４においてKIE(+)のラベルが付された、受信された情報要求（４９０）は全て解析され、情報タグがリアルタイムに作成され、その要求を一義的に定義する、未処理の加入者要求のためのルックアップデータベース（４４０）に蓄積する。これにより、それは、要求の時間／日付スタンプと、要求を送ったエンティティに関する情報とを備える一意のデータ要素として蓄積される。
【００５３】
情報レゾリューションネットワーク（図２に（２５５）として説明）は、複数の並列レゾリューション処理装置（４５０）（図４では一つのみ図示）を含み、これは、データ要素（４１０）（４３０）と、その要素に対する要求（４３５）との間の各エンカウンターを解決する。並列レゾリューション処理ユニット（４５０）の数は、負荷量に応じて増減可能であり、問題が発生したり、ネットワーク負荷が増加した場合は、リアルタイムでホットスワップすることができる。複数の処理ユニット（４５０）から構成される情報レゾリューションネットワークは、生データや再統合されたデータと、そのデータに対する要求との最適なマッチングを行うために、ネットワークを通して作動すべく、単一の論理装置として、同一箇所に配置されるか、集中化されおよび／または分散化される。
【００５４】
この実施例における再統合されたデータは、事象が起きた時や、要求された時、事前にプログラムされた一定間隔あるいはスケジュールに従って、全受信データの同化と評価の後に、KINによってシステマチック且つ動的に創出される。これにより、再統合されたデータは付加価値データとなる。この付加価値データは、捕獲されたデータと、事象の全体を表す複合データを含んでおり、一以上のサードパーティ（４９０）に提供される。このデータはリアルタイムか、あるいは後に配信され、プログラムされた放送、または、例えばイベント発生とともに配信されるイベント起動（event activated）な形態でオンデマンドで提供される。また、内部利用のために、または、後に一以上のサードパーティ（４９０）へ再販するために保存もされる。
【００５５】
情報ネットワークは、前述したようなプッシュ・テクノロジーを利用し、重要と判断される再統合された情報を、全加入者と、少なくとも一人以上のサードパーティ（４９０）に提供する。プッシュされたデータは、商業用および／または公益用のお知らせである。更に情報ネットワークは、再統合されたデータをオンデマンドで加入者や一以上のサードパーティ（４９０）に提供する。すなわち、この情報ネットワークは、事前にプログラムされたタイミングプロフィール、イベント起動のプロフィール、および／または加入者やアクティブなKIPUリクエスト（４３５）に従い、現場にあるセンサー（４１０）からの集中化および／または分散化された自動観測値を伴うデータを捕獲し利用する。加入者からくる動的なリクエスト（４９０）および／または情報処理ユニットからの自動的なリクエスト（４３５）が、センサーのサンプリング・スケジュールおよび／またはイベント起動プロフィールをアップデートすることができる。特に、この情報ネットワークは、事前に計画された周期、スケジュール、カウント数および／または存続期間、および／または、このセンサー自体によるイベント感知、および／または、他の場所にあるセンサーによるイベント感知、および／または、加入者から捕獲したリクエスト（４３５）またはアクティブKIPUリクエスト（４３５）に従って、最低一つ以上のセンサーからデータを受ける。情報ネットワークは、事前に定義されている事象の開始や一連のイベントによって、一つ以上のデータ資源（４１０）からデータを受信する。更に情報ネットワークは、火山のような、危険発生の可能性がある地域、および／または、火山の裾野にある村落のような潜在的に影響を受ける場所の近くにあるセンサー（４１０）からデータストリームを、一定間隔やスケジュール、または最低一つ以上のセンサーまたはデータ入力源から測定される事前に定義された事象の開始にしたがって、定期的にサンプリングする。この情報ネットワークは、サンプリングされた周期的でイベント起動のデータを、集中化されおよび／または分散化された指令及び制御センターに配信し、図１および３に説明するように、そこにある複数のデータベースにこのデータが保存される。
【００５６】
図５は、データを捕獲し利用する為のシステムを説明している。このシステムは、現在事象に関連するデータを捕獲するための、少なくとも一つのデータ捕獲メカニズム（５１０、５５５）と、このデータ捕獲メカニズム（５１０、５５５）に連結され、捕獲されたデータを事象データ専用の複数のサーバー（５３４、５５５）に保存する集中化されおよび／または分散化された指令センター（５３０、５５５）へ送信するデータ送信メカニズム（５２０）と、前述したサーバーと連結され、進行中の事象を示す事象データと、捕獲したデータとを再統合する演算および解析メカニズム（５３２、５５５）とを備える。この演算および解析メカニズム（５３２、５５５）は、さらに、集中化された指令センター（５３０）、分散化された指令センター（５３０、５５５）、そのデータ捕獲メカニズム（５１０、５５５）、または他の演算プラットフォーム（５１０、５５５）の動作を制御するコントローラーを備える。捕獲されたデータの情報源は、解決されて（図４の参照番号４１８を参照）、別のデータ捕獲メカニズム（５１０、５５５）か、別の演算プラットフォーム（５１０、５５５）か、集中化および／または分散化されたサーバー処理を持つ集中化および／または分散化された指令センター（５３０、５５５）のそれぞれか、および、指令や制御の特徴がほとんど無いかあるいは全く無い情報保存センターおよび情報配信センター（図１の１５０、１５５参照）へ直接送信される。このデータ捕獲メカニズムは、内蔵されたサーバー機能（５５５）を持つもでもよいし、あるいは内蔵したサーバー機能（５１０）を持たないものでもよい事に注目する必要がある（サーバーは参照番号５３０にて表示）。
【００５７】
演算および解析のメカニズム（５３２、５５５）は、数学式、論理操作、人工推論、人工知能、演繹的および帰納的推論、履歴解析、トレンド解析、パターン認識、あるいは他のすべての方法論を使って演算および解析を行う。また、演算および解析のメカニズム（５３２、５５５）は、リアルタイムで作動するか、再統合したデータを後で他の消費者に提供するか、または再統合したデータを前述の実施例と同様に、内部利用のために蓄積する。
【００５８】
最低一つ以上のデータ捕獲メカニズム（５１０、５５５）から捕獲されたデータは、集中化されおよび／または分散化された指令センター（５３０、５５５）へ同時的に送られ、捕獲されたデータ情報源は、前述した実施例と同じように解決される（図４の例、解決されたデータ４１８を参照）。集中化されおよび／または分散化された各指令センターは、複数のサーバーによって作動する分散化されたデータベースを備える。また、集中化されおよび／または分散化された各指令センターは単一の論理サーバー・ファームか、総括的なデータベースを保存する単一の論理装置として複数のサーバーで一種類のデータを処理する特殊なサーバーとして機能してもよい。この実施例における現在の事象とは、当発明の他の実施例と同一のものである。
【００５９】
図６は別の実施例を示すものであり、データ捕獲メカニズム（６１０、６５５）と共同で作動するか、あるいはデータ捕獲メカニズム（６１０、６５５）に追加して作動する、最低一つ以上のセンサー（６１０、６５５）を備える。最低一つ以上のこのセンサーは、現在の状況データを捕獲するほかに、緊急事態に関連するデータを測定する。更にこのシステムは、集中化されおよび／または分散化された指令センター（６３０）や、内蔵されたサーバー機能をもつセンサー（６５５）や、他の演算プラットフォーム（６１０、６５５）や、事象が進行中であることを示す事象データとともに捕獲されたデータを再統合するために集中化されおよび／または分散化された指令センターと連結された演算および解析のメカニズム（６３２、６５５）に、捕獲されたデータを送るための、このセンサー（６１０、６５５）に連結されたデータ送信メカニズム（６２０）を備える。さらに、この演算と解析のメカニズム（６３２、６５５）は、集中化された指令センター（６３０）、分散化された指令センター（６３０、６５５）、センサー（６１０、６５５）、他の演算プラットフォーム（６１０、６５５）の動作を制御するコントローラーを備える。本実施例の演算および解析メカニズム（６３２、６５５）は、前述した実施例の演算および解析のメカニズム（５３２、５５５）と同様の機能を持ち、前述の実施例と同様の解析方法を用いる。前述の実施例におけるデータ捕獲メカニズムと同じように、センサーには内蔵したサーバー機能（６５５）があってもよいし、内蔵したサーバー機能がなくてもよい（６１０）（サーバは参照番号６３０にて図示）。
【００６０】
このセンサー（６１０、６５５）は、例えば一般市民、地方自治体の職員、商業又は企業の従業員、マスコミ関係者、一般のボランティア、CERTメンバー、軍隊の隊員、または事象の現在の状態に関する測定を認められた個人等の広く一般に入手可能にしてもよい。このセンサー（６１０、６５５）は、さまざまな事象に関する測定を行うために、事前に決められた場所で運用でき、また、人の転倒情報、生命徴候の信号、（水平または垂直方向等の）配向性や、GPSの所在地情報といった状態を表示するために人が着用することもできる。このセンサー（６１０、６５５）は前述の実施例と類似ている。同様に、ここでいう現在の事象と、事前に決められたエリアについては、他の実施例と類似している。近い将来、このセンサーが、人の周囲や人に影響を及ぼすあらゆる場所から収集した測定値によって、人の生活に適した環境状況を測定するあらゆる電気製品から構成されてもよくなることが予想される。このセンサー（６１０、６５５）は、音声、動画、GIS/GPS、デジタル画像、テキスト情報、ＲＦＩＤ情報や、その他の電波や計器の測定値等を捕獲し、捕獲されたこれらのデータ情報源は、前述した実施例と同じ方法で解決される。
【００６１】
図７は、第六の実施例を説明している。この実施例は、一つ以上のデータ捕獲装置を一つ以上の可搬性のあるプラットフォーム（７１６）に具備することによって、データ捕獲装置（捕捉装置）、センサー、または一連のセンサー（７１０）を現在の事象の場所へ運搬するための配列を説明している。データは、センサーまたは現在の事象に関連する一連のセンサーといった、最低一つ以上のデータ捕獲装置から捕獲される。捕獲されたデータ（７２０）は、集中化されおよび／または分散化されたサーバー処理（例えば、図６の処理サーバー６３２）を伴う集中化および／または分散化された指令センター（７３０）へ送信される。捕獲されたデータは、事象のあった現場の可搬性のあるプラットフォーム（７１６）に保存され、解決（resolve）するためにレゾリューション・サーバーに交信され（例として、解決された情報４１８を参照）、集中化されおよび／または分散化されたサーバー（７３０）、および／またはサーバー機能を内蔵した可搬性のあるプラットフォーム（７５５）へ送信され、事象のデータに特化され、進行中の事象を表示する他に捕獲された事象のデータ、および／または捕獲データと事象のデータを含んでいる再統合されたデータ（７４０）と関連づけられ再統合されることができ、捕獲データと事象のデータを含んでいる再統合されたデータ（７４０）は、後に以上のサードパーティへ提供される（図４のサードパーティ（４９０）を参照）。
【００６２】
可搬性のあるプラットフォーム（７１６）とは、低地軌道にある人工衛星、放物線軌道にある人工衛星、画定した軌道をもたない衛星の動きを維持する基地、あるいは静止軌道にある人工衛星であってもよい。また、この可搬性のあるプラットフォーム（７１６）としては、空中、地上、水中、あるいは地下で活動している人や動物も考えられ、それらの人や動物は、ウエアラブルなコンピュータを装備している。このコンピュータは、ハーネスのような装置にストラップされるものか、ハンドヘルドか又は保護用および／または支持用の衣類に取り付けられた無線装置または個人用携帯情報端末であるか、あるいは人や動物が装備する別々の装置間の交信をコーディネート（連係）する個人エリア・ネットワーク（Personal Area Network）における装置の集合である。
【００６３】
可搬性のあるプラットフォーム（７１６）とは、水上輸送用、空中用、グラウンドエフェクトまたは地上用の、操縦または運転される乗り物でもよい。水上輸送用の乗り物には、潜水艦、潜航できるもの、水上の船舶、ウキ、パイロン、個人船舶、浮上している桟橋、遊覧客船や大型船、または、その他のあらゆる水上大型船舶があげられる。空中の乗り物には、固定ウィングの航空機、回転翼の航空機、ジェット・プロペラ機、動力付けされた揚力航空機、航空機より軽いもの、またはあらゆる他の空中用の乗り物があげられる。グランドエフェクトの乗り物としては、ホーバークラフト、ダクテッドファン・ホーバークラフト、回転翼のホーバークラフト、ジェット推進のホーバークラフト、磁気浮上のホーバークラフト、または、他のあらゆるグランドエフェクトの乗り物をあげることができる。地上の乗物は、トラック、バン、自動車、オートバイ、ATV、あるいは、ペダル、線路、機械的なウォーカーを使った特別な目的の乗物、自転車、カート、線路車輌等あらゆる地上の乗り物があげられる。
【００６４】
可搬性のあるプラットフォーム（７１６）としては、無人車輌、ロボット、無人機器、あるいは計測器等があげられる。無人の可搬性のあるプラットフォームは、遠隔操作または無線操作によって運用できるよう設計されるか、事前にプログラムされたルートを実行するか、またはGPS/GISや他の地理的、レーダー式、無線式のナビゲーション・システムを通じて、基地からこのプラットフォームを整備できるよう事前にプログラムされている。無人の可搬性のあるプラットフォームには、人や人工知能によって遠隔操縦される水中運転、空中運転、グランドエフェクト運転、地上または地中で運転される乗物、ロボット、無人機器、あるいは計測器等が考えられる。言い換えると、水中、空中、グランドエフェクト、地上または地中ベースの無人車輌は、プログラムによって遠隔操作または無線操作で管理される以外は、人が運転する乗物と類似したものと言える。
【００６５】
この可搬性のあるプラットフォーム（７１６）は、人工衛星、ウエアラブルな装置を装備した人や動物、一斉に動く有人・無人の車輌が一団になって作動するプラットフォームの組み合わせで構成されてもよい。またこのプラットフォームの組み合わせは、指令センター（７３０）からの指令や指示、または事前にプログラムされた指示によって制御される。
【００６６】
図８は、第７番目の実施例を説明している。この実施例は、自動的にデータを収集し配信するシステムであり、あらゆる装置に設置される、事前にプログラムされたボタン（８０５）を一度押すだけで、データの自動的な収集・再分配処理をするメカニズム（８１０）と、プッシュ・テクノロジーを自動化し、あらゆる商業、自治団体、軍隊、私設の通信ネットワークを通じて商業／公共サービスの通知を自動的に配信するメカニズムであって、最低一つ以上の有線または可搬性のある無線のデータ収集・配信装置（８１０）。例えばデスクトップコンピュータ、携帯用ラップトップまたはハンドヘルド・コンピュータ、有線カメラ、データレコーダーとその類似品、ビーパーやポケベル、双方向のテキスト情報メッセージ通信機器、無線で接続する携帯情報端末、携帯電話、ラジオ、POTS（ポッツ）、短波放送のような配信装置（８１０）等を含む自動化されたプッシュ・メカニズムとを備える。事前にプログラムされた「ワンタッチ」のボタン（８０５）は、最低一人以上の個人が携帯または着用する装置上に設置または製造されるとともに、宇宙、空中、水中、グランドエフェクト、地上、地中や地下における少なくとも一つの構造物または可搬性プラットホームに取り付けられる。
【００６７】
自動化されたデータ収集・配信システムは、オペレータが、運転する車輌のダッシュボードやコントロール・パネル、着用しているテクノロジーハーネス（technology harness）、携帯している無線機器上にあるボタン（８０５）を押すだけで、起動するように設計されている。前述の実施例と同様に、捕獲されたデータ情報源は、解析された後、他のデータ捕獲装置（８１０）か、埋めこまれたサーバー機能（８５５）を持つ可搬性のあるプラットフォームか、他の演算プラットフォームを含むサードパーティか、あるいは集中化および／または分散化されたサーバー処理のある集中化および／または分散化された指令センター（８３０）におのおの直接送信される。捕獲されたデータ（８２０）は、他の指令センターまたはデータ配信センター（例えば図１の指令、データ・センター（１５０）を参照）へ送られ、指令や制御の特徴がほとんどないか、あるいは全くないセンター間で、データのリレーが実行される。事前にプログラムされた指示によって、ボタンを押すことで収集されたデータが、集中化および／または分散化された指令センター（８３０）へ配信され、事前にプログラムされた出力が、ボタンを一度押すだけで、オペレータとその作業チーム全体に返信される。
【００６８】
図９は本発明のソフトウエアのレイヤの図を提供する。この図は、前述した全ての実施例に適用される上位概念図であり、レゾリューションエンジンを説明するための背景を提供するものである。当業者にとってレゾリューションエンジンを理解でき、明白なものとするために、レゾリューションエンジン及びそのタグ方法論に関していくつかの定義を設けることが有用であろう。
【００６９】
＜定義＞
ＫＩＮ：光陽情報ネットワーク、動的リアルタイムデータ及び要求処理レゾリューションネットワークである。
データ：個別の要素または使用者により収集されたコンテンツの動向であり、ユーザーデバイス、KINのためのセンサーまたはセンサーアレイである。
要  求：個別のもしくは複合の要求、またはデータリクエストのセットもしくはKINからの情報である。
情  報：複合要求リクエストを満たすために付加価値手段により処理されたデータである。時に別個のデータは周知の要求リクエストを満たさないが、付加価値処理（エキスパートプロセスとして表現されている）を用いることで、別個のデータは「新しいデータ」となり、専門処理の積に対する要求でマッチもしくは解決される。
マッチ：データもしくは情報と、データ要求または情報間の連続性および／または対称性が１００％等しい場合をいう。
レゾルーション（解析）、
レゾルブド（解析された）：データおよび情報と、１００％に満たないそれらの要求との間の結合である。レゾルーションエンジンは、データ要求を伴ったデータを解決する一方、同時に受信データを伴ったデータに対し、周知の要求をする。レゾルーションは、コンテクストを潜在的なマッチのパーセンテージとして表すことで、考え得る最も有利なコンテクストにデータを変換するプロセスである。最も適切なデータまたは入手可能な情報で、情報に対する要求を満足させ、大抵は潜在的なマッチを表す。例えば９９％レゾリューションは、９９％マッチの可能性があることを意味するが、それは未確認であるので、９９％だけ解決される。単一の複合要求が千の異なるデータ要素により供給され、またパーセント率は時間に対して動的であるので、一つの個別のデータ要素は、千の要求に解決されることができる。
タ  グ：データ、もしくは要求についての特定または真実の情報を特定するメタデータ構成が、データ、情報（付加価値データ）および要求を特定、解決するために使用され、タグは要求およびデータのためのコンテクストを生成する、レゾリューションの手段である。データおよび情報は、レゾリューションまたはマッチが、種々のタグ同士および／またはタグ間で認められるまで要求を流さない。
加入部（Subscription）：個人のまたは会社のアクセス、認証、確認、及びプロフィルの貯蔵庫であり、データ及び要求提出の両方に使用される、KINにおけるシチズンシップの具体例である。
【００７０】
以下の表は、図９に模式的に示された種々のソフトウエア層を説明している。
【表１】
2004533034.tif 000002
【図面の簡単な説明】
【００７１】
【図１】図１は、データを収集し利用する指令センターあるいはデータセンターと協働して作動するデータ捕獲装置における第一実施例の模式図である。
【図２】図２は、この発明が基になっている、情報交換のためのKOYO（洞察力、知性）情報ネットワーク（KIN）技術の模式図である。
【図３】図３は、データを捕獲し利用する指令センターあるいはデータセンターと協働して作動するセンサーにおける第二実施例の模式図である。
【図４】図４は、情報源入力及びサードパーティと受送信したデータを解析するKINの模式図である。
【図５】図５は、データサーバー、処理サーバー、情報ネットワーク、データを捕獲し利用するためのデータ捕獲装置を含むシステムの説明図である。
【図６】図６は、データサーバー、処理サーバー、情報ネットワーク、センサーを搭載したデータの捕獲や利用のためのデータ捕獲装置を含むシステムの説明図である。
【図７】図７は、サーバーを内蔵した情報ネットワーク、指令センター、その他の可搬性のあるプラットフォームと交信する搭載されたデータ捕獲装置あるいはセンサーを搬送するための可搬性のあるプラットフォームの説明図である。
【図８】図８は、サーバーを内蔵した情報ネットワークと、指令センターと、可搬性のあるプラットフォームと交信する、ワンタッチで自動的にデータを収集し、配信するシステムの説明図である。
【図９】図９は、本発明のソフトウエア・モジュールで、５層のソフトウエアと１４のソフトウエア・サブシステムを示す図であり、リゾルーションエンジンを詳細に説明する図である。
【図１】
2004533034.tif 000003
【図２】
2004533034.tif 000004
【図３】
2004533034.tif 000005
【図４】
2004533034.tif 000006
【図５】
2004533034.tif 000007
【図６】
2004533034.tif 000008
【図７】
2004533034.tif 000009
【図８】
2004533034.tif 000010
【図９】
2004533034.tif 000011
【国際公開パンフレット】
2004533034.tif 000012
2004533034.tif 000013
2004533034.tif 000014
2004533034.tif 000015
2004533034.tif 000016
2004533034.tif 000017
2004533034.tif 000018
2004533034.tif 000019
2004533034.tif 000020
2004533034.tif 000021
2004533034.tif 000022
2004533034.tif 000023
2004533034.tif 000024
2004533034.tif 000025
2004533034.tif 000026
2004533034.tif 000027
2004533034.tif 000028
2004533034.tif 000029
2004533034.tif 000030
2004533034.tif 000031
2004533034.tif 000032
2004533034.tif 000033
2004533034.tif 000034
2004533034.tif 000035
2004533034.tif 000036
2004533034.tif 000037
2004533034.tif 000038
2004533034.tif 000039
2004533034.tif 000040
2004533034.tif 000041
2004533034.tif 000042
2004533034.tif 000043
2004533034.tif 000044
2004533034.tif 000045
2004533034.tif 000046
2004533034.tif 000047
2004533034.tif 000048
2004533034.tif 000049
2004533034.tif 000050
2004533034.tif 000051
2004533034.tif 000052
2004533034.tif 000053
2004533034.tif 000054
2004533034.tif 000055
2004533034.tif 000056
2004533034.tif 000057
2004533034.tif 000058
2004533034.tif 000059
2004533034.tif 000060
【国際調査報告】
2004533034.tif 000061
2004533034.tif 000062
2004533034.tif 000063